Podtech/llm-jp-corpus-v4-ja_patent huggingface dataset:
【手続補正書】
【提出日】平成28年2月19日(2016.2.19)
【手続補正１】
【補正対象書類名】特許請求の範囲
【補正対象項目名】全文
【補正方法】変更
【補正の内容】
【特許請求の範囲】
【請求項１】
少なくとも第１エッジ及び第２エッジを含む外周を有する第１表面であって、前記外周の第１領域は、前記第２エッジを含み、内向きに延在し、かつ第１鋭内角及び第２鋭内角を画定する２つの角部を端とし、前記外周は、鋭内角を画定する角部を最高で４つ有する、第１表面と、
前記第１表面に対向し、かつ接触しない、第２表面と、
前記第１表面と前記第２表面との間に配置され、かつこれらを接続する周縁表面であって、前記第１エッジで前記外周に接触する第１壁を含み、前記第２エッジで前記外周に接触する第２壁を含み、かつ所定の第１形状を有する、周縁表面と、
を含む、成形セラミック研磨粒子。
【請求項２】
請求項１に記載の成形セラミック研磨粒子を、個数ベースで少なくとも１０パーセント含む、複数の研磨粒子。
【請求項３】
結合剤中に保持された、請求項２に記載の複数の研磨粒子を含む、研磨物品。
【請求項４】
前記研磨物品が、結合研磨物品を含む、請求項３に記載の研磨物品。
【請求項５】
前記研磨物品が、コーティングされた研磨物品を含み、前記コーティングされた研磨物品は、第３及び第４の対向する主表面を有する支持体に固定された前記複数の研磨粒子を含む、請求項３に記載の研磨物品。
【請求項６】
前記研磨物品が、不織布研磨物品を含み、前記不織布研磨物品は、嵩高な開放不織布繊維ウェブに固定された前記複数の研磨粒子を含む、請求項３に記載の研磨物品。
【請求項７】
ａ）成形型空洞を画定する成形型を提供する工程であって、前記成形型空洞は、外周により画定される外側開口部を有し、前記外周は、少なくとも第１エッジ及び第２エッジを含み、前記外周の第１領域は、前記第２エッジを含み、内向きに延在し、かつ第１鋭内角及び第２鋭内角を画定する２つの角部を端とし、前記外周は、鋭内角を画定する角部を最高で４つ有し、前記成形型空洞は、周縁成形型表面により横方向に囲まれており、該周縁成形型表面は、前記第１エッジで前記外周と交差する第１成形型壁と、前記第２エッジで前記外周と交差する第２成形型壁とを含む、工程と、
ｂ）前記成形型空洞内にセラミック前駆体材料を配置する工程と、
ｃ）前記成形型空洞内に配置された前記セラミック前駆体材料を、成形セラミック前駆体粒子に変換する工程と、
ｄ）前記成形セラミック前駆体粒子を、成形セラミック研磨粒子に変換する工程と、を含む、成形セラミック研磨粒子の製造方法。
【請求項８】
第１角部は、５〜５５度（端の値を含む）の範囲の値の第１鋭内角を有する、請求項７に記載の方法。
【請求項９】
前記方法が、工程ｄ）の前に前記成形型から前記成形セラミック前駆体粒子を分離する工程を更に含む、請求項８に記載の方法。
【請求項１０】
工程ｄ）が、前記成形セラミック前駆体粒子を焼結することを含む、請求項９に記載の方法。
【請求項１１】
工程ｄ）が、前記成形セラミック前駆体粒子をか焼して、か焼された成形セラミック前駆体粒子を提供することと、前記か焼された成形セラミック前駆体粒子を焼結することとを含む、請求項９に記載の方法。
【請求項１２】
前記成形セラミック研磨粒子が、αアルミナを含む、請求項９に記載の方法。
【手続補正書】
【提出日】平成28年3月25日(2016.3.25)
【手続補正１】
【補正対象書類名】特許請求の範囲
【補正対象項目名】全文
【補正方法】変更
【補正の内容】
【特許請求の範囲】
【請求項１】
ポリマー材料；および
強化または充填材料；
を含み、
該ポリマー材料が、重合性組成物から形成されるものであり、
前記重合性組成物が、
式：Ｒ１−Ｏ−Ｃ（Ｏ）−Ｃ（＝ＣＨ２）−Ｃ（Ｏ）−Ｏ−Ｒ２で表されるメチレンマロネートモノマー、
構造：Ｒ３−Ｃ（Ｏ）−Ｃ（＝ＣＨ２）−Ｃ（Ｏ）−Ｏ−Ｒ４で表されるメチレンベータケトエステルモノマー、および
構造：Ｒ５−Ｃ（Ｏ）−Ｃ（＝ＣＨ２）−Ｃ（Ｏ）−Ｒ６で表されるメチレンベータジケトンモノマー
のうちの一種以上を含む
ことを特徴とする、複合材料。
【請求項２】
Ｒ１、Ｒ２、Ｒ３、Ｒ４、Ｒ５、およびＲ６が独立して、Ｃ１−Ｃ１５アルキル、Ｃ２−Ｃ１５アルケニル、ハロ−（Ｃ１−Ｃ１５アルキル）、Ｃ３−Ｃ６シクロアルキル、ハロ−（Ｃ３−Ｃ６シクロアルキル）、ヘテロシクリル、ヘテロシクリル−（Ｃ１−Ｃ１５アルキル）、アリール、アリール−（Ｃ１−Ｃ１５アルキル）、ヘテロアリール、ヘテロアリール−（Ｃ１−Ｃ１５アルキル）、またはアルコキシ−（Ｃ１−Ｃ１５アルキル）であり、これらは各々、場合により、Ｃ１−Ｃ１５アルキル、ハロ−（Ｃ１−Ｃ１５アルキル）、Ｃ３−Ｃ６シクロアルキル、ハロ−（Ｃ３−Ｃ６シクロアルキル）、ヘテロシクリル、ヘテロシクリル−（Ｃ１−Ｃ１５アルキル）、アリール、アリール−（Ｃ１−Ｃ１５アルキル）、ヘテロアリール、Ｃ１−Ｃ１５アルコキシ、Ｃ１−Ｃ１５アルキルチオ、ヒドロキシル、ニトロ、アジド、アシルオキシ、カルボキシ、エステルまたはスルホニルで置換されていてもよく；
または、Ｒ１とＲ２、Ｒ３とＲ４、もしくはＲ５とＲ６が、これらが結合している原子と一体となって５から７員の複素環式の環を形成しており、該環は、場合により、Ｃ１−Ｃ１５アルキル、ハロ−（Ｃ１−Ｃ１５アルキル）、Ｃ３−Ｃ６シクロアルキル、ハロ−（Ｃ３−Ｃ６シクロアルキル）、ヘテロシクリル、ヘテロシクリル−（Ｃ１−Ｃ１５アルキル）、アリール、アリール−（Ｃ１−Ｃ１５アルキル）、ヘテロアリール、Ｃ１−Ｃ１５アルコキシ、Ｃ１−Ｃ１５アルキルチオ、ヒドロキシル、ニトロ、アジド、アシルオキシ、カルボキシ、エステルまたはスルホニルで置換されていてもよい、
請求項１に記載の複合材料。
【請求項３】
重合性組成物が、多官能性のモノマーを含む、請求項１または２に記載の複合材料。
【請求項４】
強化または充填材料が、粒状物、ガラス、天然および合成繊維、織布および不織布、ナノ粒子、カーボン、クレイ、繊維ガラス、カーボン繊維、木質粒子、かんなくず、木粉、アルミナ、シリカ、砂、プラスチック、ポリカーボネート、アクリロニトリルブタジエンスチレン、アルミ箔張繊維ガラス、ベールマット、繊維ガラスマット、二軸クロス、剥離布、カーボン繊維クロス、ヒュームドシリカ、ポリエチレン繊維、ポリプロピレン繊維、チタニアおよびアラミド繊維からなる群のうちの少なくとも１つの構成員を含む、請求項１から３のいずれか一項に記載の複合材料。
【請求項５】
さらに配合添加剤を含み、前記配合添加剤が、可塑剤、チキソトロープ剤、接着促進剤、酸化防止剤、光安定剤、ＵＶ安定剤、充填材、界面活性剤、湿潤剤、粘度調整剤、体質顔料、分散剤、アンチブロッキング剤、消泡剤、脱気剤、垂れ落ち防止剤、凝結防止薬剤、つや消し剤、平滑化剤、ワックス、傷防止添加剤、スクラッチ防止添加剤、および不活性樹脂のうちの一種以上を含む、請求項１から４のいずれか一項に記載の複合材料。
【請求項６】
メチレンマロネートモノマーが、ジエチルメチレンマロネートモノマーである、請求項１から５のいずれか一項に記載の複合材料。
【請求項７】
ジエチルメチレンマロネートモノマーが、多官能性モノマーである、請求項１から６のいずれか一項に記載の複合材料。
【請求項８】
請求項１から７のいずれか一項に記載の複合材料を準備すること；
該ポリマー材料の一種以上、または強化もしくは充填材料に、重合活性剤を取り入れること；ならびに
該ポリマー材料と該強化もしくは充填材料を成型すること
を含む、複合材物品の作製方法。
【請求項９】
重合活性剤が、塩基、塩基前駆体、塩基創出体または塩基向上体の形態である、請求項８に記載の方法。
【請求項１０】
重合活性剤が、酢酸ナトリウム；酢酸カリウム；ナトリウム、カリウム、リチウム、銅およびコバルトの酸の塩；テトラブチルアンモニウムフルオリド、クロリドおよびヒドロキシド；第１級、第２級または第３級のいずれかのアミン；アミド；ポリマー結合型酸の塩；安息香酸塩；２，４−ペンタン二酸塩；ソルビン酸塩；プロピオン酸塩；第２級脂肪族アミン；ピペリデン、ピペラジン、Ｎ−メチルピペラジン、ジブチルアミン、モルホリン、ジエチルアミン、ピリジン、トリエチルアミン、トリプロピルアミン、トリエチレンジアミン、Ｎ，Ｎ−ジメチルピペラジン、ブチルアミン、ペンチルアミン、ヘキシルアミン、ヘプチルアミン、ノニルアミン、デシルアミン；アミンと有機モノカルボン酸との塩；ピペリジンアセテート；低級モノカルボン酸の金属塩；酢酸銅（ＩＩ）、酢酸第二銅一水和物、酢酸カリウム、酢酸亜鉛、クロロ酢酸亜鉛、クロロ酢酸マグネシウム、酢酸マグネシウム；ならびにポリアクリル酸コポリマーの塩のうちの一種以上を含む、請求項８または９に記載の方法。
【請求項１１】
請求項１から７のいずれか一項に記載の複合材料を含む、製造物品。
【手続補正書】
【提出日】平成28年2月3日(2016.2.3)
【手続補正１】
【補正対象書類名】特許請求の範囲
【補正対象項目名】全文
【補正方法】変更
【補正の内容】
【特許請求の範囲】
【請求項１】
カムフォロアアセンブリであって、
開口を含むハウジングであって、ツールに結合されるハウジングと、
カム表面に接触するように構成された第１のカムフォロアおよび第２のカムフォロアと、
前記第１のカムフォロアに結合された第１の保持要素と、
前記第２のカムフォロアに結合された第２の保持要素であって、この第２の保持要素は、前記ハウジングの前記開口内に収容されるように前記第１の保持要素と組み合わされ、前記第１の保持要素および前記第２の保持要素は、互いに組み合わされたとき、互いに対して移動するように構成される第２の保持要素と、
圧縮可能な素材から形成された調整要素であって、この調整要素は、前記第１の保持要素および前記第２の保持要素に対してバイアスを提供すると共に、前記第１の保持要素と前記第２の保持要素との間の相対運動を決定する調整要素と、を具備し、
前記第１のカムフォロアおよび前記第２のカムフォロアは、前記第１の保持要素および前記第２の保持要素との間の相対運動に応じて互いに対して移動し、前記第１のカムフォロアおよび前記第２のカムフォロアは、前記第１のカムフォロアと前記第２のカムフォロアとの間の前記相対運動に応じて前記カム表面との接触を維持し、かつ、前記カム表面は、前記ハウジングに対して結合された前記ツールの移動を決定し、かつ、
前記第１の保持要素はそれを通って前記第２のカムフォロアを受けるよう構成された第１の開口を含み、前記第１の開口は前記第２のカムフォロアの軸方向移動をもたらすような形状となっていることを特徴とするカムフォロアアセンブリ。
【請求項２】
少なくとも一つの作動要素をさらに具備し、前記少なくとも一つの作動要素は、前記組み立てられた第１の保持要素および第２の保持要素が前記開口内に配置されるとき、前記ハウジングと、前記組み立てられた第１の保持要素および第２の保持要素との間に配置されることを特徴とする請求項１に記載のカムフォロアアセンブリ。
【請求項３】
前記組み立てられた第１の保持要素および第２の保持要素は、前記開口内で前記ハウジングに対して移動することを特徴とする請求項１に記載のカムフォロアアセンブリ。
【請求項４】
前記調整要素はポリウレタンから形成されることを特徴とする請求項１に記載のカムフォロアアセンブリ。
【請求項５】
前記第１の保持要素および前記第２の保持要素は、組み合わされた際にキャビティを形成し、前記調整要素は、前記第１の保持要素および前記第２の保持要素によって形成されるキャビティ内に収容されることを特徴とする請求項１に記載のカムフォロアアセンブリ。
【請求項６】
前記第１の保持要素は第１の突起および第１のリセスを含むと共に前記第２の保持要素は第２の突起および第２のリセスを含み、かつ、前記第１の突起、前記第１のリセス、前記第２の突起および前記第２のリセスは、その中に配置された前記調整要素を有するエンクロージャを形成し、前記第１の突起は、前記第２の突起と反対の前記調整要素の側に配置されることを特徴とする請求項１に記載のカムフォロアアセンブリ。
【請求項７】
前記第１の保持要素の表面から延在する突起をさらに具備し、前記突起は前記調整要素と係合するよう構成され、前記調整要素との係合は第１の軸方向に前記第１の保持要素を付勢する請求項１に記載のカムフォロアアセンブリ。
【請求項８】
前記突起は、前記第１の保持要素が前記第２の保持要素と組み合わされたとき、前記第１のカムフォロアと前記第２のカムフォロアとの間に配置されることを特徴とする請求項７に記載のカムフォロアアセンブリ。
【請求項９】
前記第１の保持要素はさらに前記突起に隣接してリセスを含み、前記リセスは前記調整要素をその中に収容するよう構成されることを特徴とする請求項７に記載のカムフォロアアセンブリ。
【請求項１０】
前記第２の保持要素の表面から延在する第２の突起をさらに具備し、前記第２の突起は前記調整要素と係合するよう構成され、前記調整要素との係合は第２の軸方向に前記第２の保持要素を付勢することを特徴とする請求項７に記載のカムフォロアアセンブリ。
【請求項１１】
前記第１のカムフォロアは前記第１の保持要素に対して固定されることを特徴とする請求項１に記載のカムフォロアアセンブリ。
【請求項１２】
前記第１のカムフォロアは、前記調整要素と反対の前記第１の保持要素の側から延在することを特徴とする請求項１に記載のカムフォロアアセンブリ。
【請求項１３】
前記第２の保持要素の表面から延在する突起をさらに具備し、前記突起は前記調整要素と係合するよう構成され、前記調整要素との係合は第１の軸方向に前記第２の保持要素を付勢することを特徴とする請求項１に記載のカムフォロアアセンブリ。
【請求項１４】
前記突起は、前記第２の保持要素が前記第１の保持要素と組み合わされたとき、前記第１のカムフォロアと前記第２のカムフォロアとの間に配置されることを特徴とする請求項１３に記載のカムフォロアアセンブリ。
【請求項１５】
前記第１の保持要素はさらに前記突起に隣接してリセスを含み、前記リセスは前記調整要素をその中に収容するよう構成されることを特徴とする請求項１３に記載のカムフォロアアセンブリ。
【請求項１６】
前記第２のカムフォロアは前記第２の保持要素に対して固定されることを特徴とする請求項１に記載のカムフォロアアセンブリ。
【請求項１７】
前記第２のカムフォロアは、前記調整要素と同じ前記第２の保持要素の側から延在することを特徴とする請求項１に記載のカムフォロアアセンブリ。
【手続補正書】
【提出日】平成28年3月9日(2016.3.9)
【手続補正１】
【補正対象書類名】特許請求の範囲
【補正対象項目名】全文
【補正方法】変更
【補正の内容】
【特許請求の範囲】
【請求項１】
少なくとも２つの異なる医療トレーニングシナリオ開発用の医療トレーニング開発システムであって、
少なくとも２つの異なる医療トレーニングシナリオを動作するように適合された、少なくとも１つのトレーニング装置と、
予めプログラムされたイベントモジュールまたは予めプログラムされた医療トレーニングシナリオの少なくとも１つに関連するプログラムコードを格納するための、複数の非一時的なメモリエレメントを含むリポジトリであって、前記予めプログラムされたイベントモジュールまたは前記予めプログラムされた医療トレーニングシナリオの少なくとも１つが、前記少なくとも１つのトレーニング装置上で動作して少なくとも１つの医療的処置をシミュレートするためのインストラクション命令と、記述子を定義するメタデータとを含む、リポジトリと、
前記リポジトリに接続可能であり、前記予めプログラムされたイベントモジュールまたは前記予めプログラムされた医療トレーニングシナリオの少なくとも１つにアクセスし、アクセスした前記予めプログラムされたイベントモジュールまたは前記予めプログラムされた医療トレーニングシナリオを使用して、前記医療トレーニングシナリオをプログラムし、少なくとも１つの新たな医療トレーニングシナリオを開発し、前記新たな医療トレーニングシナリオを中央管理モジュールへ渡す、シナリオプログラミングシステムと、
学生の経験に関連する複数の記録を有する学生記録データベースと、
前記新たな医療トレーニングシナリオの少なくとも１つを受け取ると動作して、前記メタデータによって定義される前記記述子を解釈し、学生能力データを前記学生記録データベースへ入力するためのインストラクション命令を生成するデータ入力装置であって、前記学生能力データが、前記新たな医療トレーニングモジュールの少なくとも１つによって表わされる少なくとも１つの医療的処置を行う際の、前記学生の能力を表しており、品質管理システムによって１人以上の学生によって行われる前記医療トレーニングシナリオの異なるもののトレーニング結果を比較するために、記述子を定義する前記メタデータが、異なる医療トレーニングシナリオ内の前記予めプログラムされたイベントモジュールの同じ物の比較を可能とするように構成されており、記述子を定義する前記メタデータが、前記異なる医療トレーニングシナリオを行う前記１人以上の学生の能力を表している、データ入力装置と、
を含む、医療トレーニング開発システム。
【請求項２】
前記リポジトリ内の予めプログラムされたイベントモジュールがグループ分けされている、請求項１の医療トレーニング開発システム。
【請求項３】
前記予めプログラムされたイベントモジュールがＸＭＬファイルの形式である、請求項１の医療トレーニング開発システム。
【請求項４】
少なくとも２つの異なる医療トレーニングシナリオを開発する方法であって、
予めプログラムされたイベントモジュールおよび予めプログラムされた医療トレーニングシナリオの少なくとも１つから、１つ以上をシナリオ開発システムによって選択するステップであり、前記予めプログラムされたイベントモジュールまたは前記予めプログラムされた医療トレーニングシナリオの少なくとも１つが、前記少なくとも１つのトレーニング装置上で動作して少なくとも１つの医療的処置をシミュレートするためのインストラクション命令と、記述子を定義するメタデータとを含み、品質管理システムによって１人以上の学生によって行われる前記医療トレーニングシナリオの異なるもののトレーニング結果を比較するために、記述子を定義する前記メタデータが、異なる医療トレーニングシナリオ内の前記予めプログラムされたイベントモジュールの同じ物の比較を可能とするように構成されており、記述子を定義する前記メタデータが、前記異なる医療トレーニングシナリオを行う前記１人以上の学生の能力を表している、選択するステップと、
選択された前記予めプログラムされたイベントモジュールまたは前記予めプログラムされた医療トレーニングシナリオの１つ以上を組み合わせて、新たな医療トレーニングモジュールを生成するステップとを含む、方法。
【請求項５】
前記予めプログラムされたイベントモジュールまたは前記予めプログラムされた医療トレーニングシナリオの少なくとも２つにおいて使用するための、共通のデータ要素を定義するステップをさらに含む、請求項４の方法。
【請求項６】
追加のイベントモジュールをプログラムするステップをさらに含む、請求項４または５の方法。
【請求項７】
追加のイベントモジュールをプログラムするステップをさらに含む、請求項４〜６のいずれか１項の方法。
【請求項８】
リポジトリにアクセスして、複数の予めプログラムされたイベントモジュールおよび予めプログラムされた医療トレーニングシナリオから、予めプログラムされたイベントモジュールまたは予めプログラムされた医療トレーニングシナリオの少なくとも１つを選択する第１のロジックであり、前記予めプログラムされたイベントモジュールまたは前記予めプログラムされた医療トレーニングシナリオの少なくとも１つが、前記少なくとも１つのトレーニング装置上で動作して少なくとも１つの医療的処置をシミュレートするためのインストラクション命令と、記述子を定義するメタデータとを含み、品質管理システムによって１人以上の学生によって行われる前記医療トレーニングシナリオの異なるもののトレーニング結果を比較するために、記述子を定義する前記メタデータが、異なる医療トレーニングシナリオ内の前記予めプログラムされたイベントモジュールの同じ物の比較を可能とするように構成されており、記述子を定義する前記メタデータが、前記異なる医療トレーニングシナリオを行う前記１人以上の学生の能力を表している、第１のロジックと、
選択した前記予めプログラムされたイベントモジュールまたは前記予めプログラムされた医療トレーニングモジュールを組み合わせて、新たな医療トレーニングモジュールを生成する第２のロジックと、
トレーニング装置上で動作するために、前記新たな医療トレーニングシナリオを中央管理モジュールへ渡す第３のロジックと、
を含む、不揮発性の媒体に格納されたコンピュータプログラム製品。
【手続補正書】
【提出日】平成28年3月17日(2016.3.17)
【手続補正１】
【補正対象書類名】特許請求の範囲
【補正対象項目名】全文
【補正方法】変更
【補正の内容】
【特許請求の範囲】
【請求項１】
前面と、
前記前面の一部分の領域に重なるように、前記前面の方に押されると共に前記前面の後方へ屈曲するように設けられる複数の屈曲可能な光操作エレメントと、
前記屈曲可能な光操作エレメントの一つにそれぞれが結合される複数のロッドと、
前記前面の方への前記ロッドのそれぞれの動きを制御するように設けられ、それにより、前記前面の前記一部分の領域を制御する前記屈曲可能な光操作エレメントを屈曲させ、前記ロッドに結合される前記屈曲可能な光操作エレメントの一つを前記前面の前記領域に重ねるロッド移動システムと、
を有するピクセルを備えることを特徴とするディスプレイ装置。
【請求項２】
前記複数の屈曲可能な光操作エレメントは前記前面の後方へ屈曲するように設けられ、前記前面の後方に積み重なった屈曲可能な光操作エレメントを形成する請求項１に記載のディスプレイ装置。
【請求項３】
前記屈曲可能な光操作エレメントのそれぞれが前記前面の領域に積み重なる範囲は前記ピクセルの色を決定する請求項２に記載のディスプレイ装置。
【請求項４】
前記屈曲可能な光操作エレメントの少なくとも一つは前記光操作エレメントの色を決定した色素を備えている請求項１〜３のいずれかの請求項に記載のディスプレイ装置。
【請求項５】
前記ピクセルは、複数の前記ピクセルがお互いに隣りに配置された時、複数の前記ピクセルが前記ディスプレイ装置の前面を実質的に完全に覆うような形状を有している請求項１〜４のいずれかの請求項に記載のディスプレイ装置。
【請求項６】
前記ピクセルは、複数の前記ピクセルがお互いに隣りに配置された時、複数の前記ピクセルがお互いに重なるような形状を有している請求項１〜４のいずれかの請求項に記載のディスプレイ装置。
【請求項７】
前記ピクセル内に配置される光学流体をさらに備え、前記光学流体は、前記少なくとも一つの光操作エレメントの内部反射を減少させると共に可視性を増加させるため、前記ピクセルの前記前面及び前記光操作エレメントの少なくとも一つの屈折率に合致する屈折率を供給するように設けられる請求項１〜６のいずれかの請求項に記載のディスプレイ装置。
【請求項８】
前記前面の後方に背景タイルをさらに備えている請求項１〜７のいずれかの請求項に記載のディスプレイ装置。
【請求項９】
前記屈曲可能な光操作エレメントは、前記前面の全領域に重なることができるように設けられている請求項１〜８のいずれかの請求項に記載のディスプレイ装置。
【請求項１０】
前記屈曲可能な光操作エレメントの少なくとも一つは色彩フィルターを備えている請求項１〜９のいずれかの請求項に記載のディスプレイ装置。
【請求項１１】
前記ロッド移動システムは位置測定装置及び停止機構を備えている請求項１〜１０のいずれかの請求項に記載のディスプレイ装置。
【請求項１２】
前記ロッドの少なくとも一つは前記少なくとも一つのロッドの近くに生じる磁界の作用により移動するように設けられている請求項１〜１１のいずれかの請求項に記載のディスプレイ装置。
【請求項１３】
それぞれのロッドのために予め決められた位置に前記複数のロッドを移動させるために前記複数のロッドに作動液の同一圧力を掛けるように構成される油圧ポンプをさらに備えている請求項１〜１２のいずれかの請求項に記載のディスプレイ装置。
【請求項１４】
前記ロッドの少なくとも一つは前記ディスプレイ装置内の前記作動液の圧力変動の作用により移動するように設けられている請求項１３に記載のディスプレイ装置。
【請求項１５】
前記少なくとも一つのロッドは所定位置で前記ロッドの移動を停止するように構成されたストッパーと係合する請求項１４に記載のディスプレイ装置。
【請求項１６】
前記作動液は前記ピクセル内に設けられる光学流体を備え、前記光学流体は、前記ピクセルの前記前面及び前記光操作エレメントの少なくとも一つの屈折率に合致する屈折率を供給するように設けられる請求項１３〜１５のいずれかの請求項に記載のディスプレイ装置。
【請求項１７】
前記屈曲可能な光操作エレメントのそれぞれは、
色彩フィルターと、
タイルと、
偏光器と、
光反射器と、
上記のうちの少なくとも２つの組み合わせと、
にから成る群から選択される光操作エレメントを備えている請求項１〜１６のいずれかの請求項に記載のディスプレイ装置。
【請求項１８】
前記光操作エレメントのそれぞれは、
赤色色素と、
緑色色素と、
青色色素と、
黄色色素と、
マゼンダ色素と、
シアン色素と、
から成る群から選択される色素を含む色素フィルターを備えている請求項１〜１６のいずれかの請求項に記載のディスプレイ装置。
【請求項１９】
前記ディスプレイ装置は複数のピクセルを有するケースを備えている請求項１〜１８のいずれかの請求項に記載のディスプレイ装置。
【請求項２０】
前記ケースは、少なくとも一つの凸部と少なくとも一つの対応する凹部を備え、複数の前記ケースがお互いに隣りに積み重ねられた時、前記凸部が前記凹部に突き出て、前記ケースが前記ディスプレイ装置の前面の実質的に全範囲を覆うように設けられている請求項１９に記載のディスプレイ装置。
【請求項２１】
前記ディスプレイ装置は複数のケースを有するボードを備えている請求項１９又は請求項２０に記載のディスプレイ装置。
【請求項２２】
前面と、
前記前面の一部分の領域に重なるように、前記前面の方に押されると共に前記前面の後方へ屈曲するように設けられる複数の屈曲可能な光操作エレメントと、
前記屈曲可能な光操作エレメントの一つにそれぞれが結合される複数のロッドと、
前記前面の方への前記ロッドのそれぞれの動きを制御するように設けられ、それにより、前記前面の前記一部分の領域を制御する前記屈曲可能な光操作エレメントを屈曲させ、前記ロッドに結合される前記屈曲可能な光操作エレメントの一つを前記前面の前記領域に重ねるロッド移動システムと、
を有するピクセルを供給することと、
ディスプレイ環境に前記ピクセルを配置することと、
前記ピクセルの色を決定するため、前記前面の領域に前記光操作エレメントのそれぞれを重ねる範囲に前記前面の後方に前記複数の屈曲可能な光操作エレメントを屈曲することと、
を備えることを特徴とするカラーディスプレイを表示する方法。
【請求項２３】
前記ピクセル内に配置される光学流体使用することをさらに備え、前記光学流体は、前記少なくとも一つの光操作エレメントの内部反射を減少させると共に可視性を増加させるため、前記ピクセルの前記前面及び前記光操作エレメントの少なくとも一つの屈折率に合致する屈折率を供給するように設けられる請求項２２に記載の方法。
【請求項２４】
それぞれのロッドのために予め決められた位置に前記複数のロッドを移動させるために前記複数のロッドに作動液の同一圧力を掛けるように構成される油圧ポンプを使用することをさらに備えている請求項２３に記載の方法。
【請求項２５】
前記作動液は前記ピクセル内に設けられる光学流体を備え、前記光学流体は、前記少なくとも一つの光操作エレメントの内部反射を減少させると共に可視性を増加させるため、前記ピクセルの前記前面及び前記光操作エレメントの少なくとも一つの屈折率に合致する屈折率を供給するように設けられる請求項２４に記載の方法。
【手続補正書】
【提出日】平成28年5月11日(2016.5.11)
【手続補正１】
【補正対象書類名】特許請求の範囲
【補正対象項目名】全文
【補正方法】変更
【補正の内容】
【特許請求の範囲】
【請求項１】
式Ｉａ：
【化１】
2015518832.tif 000001
［式中、
Ａは標的部分であり、
Ｂは第二の標的部分を含んでいてよい補助的部分であるか、またはＢは存在せず、
ＸはＮ（窒素）またはＣＨであり、
ＹはＮ（窒素）またはＣＨであり、
ｍは０、１、または２であり、
Ｄはそれぞれ独立して選択され、ここで、各Ｄは活性薬物であり、
Ｌ２はそれぞれ独立して、リンカーであり、ここで、少なくとも１個のＬ２はＬ１Aに結合し、
ｎは１、２、３、４、５、６、７、８、９または１０であり、
Ｌはリンカーであるか、または存在せず、そして
Ｌ１Ａはリンカーであるか、または存在しない。］
を含む、活性薬物複合体またはその薬学的に許容される塩。
【請求項２】
【化２】
2015518832.tif 000002
が
【化３】
2015518832.tif 000003
である、請求項１に記載の活性薬物複合体。
【請求項３】
Ｌが−ＮＨ−Ｃ（＝Ｏ）−、−ＮＨ−Ｃ（＝Ｏ）−ＮＨ−および−ＮＨ−Ｃ（＝Ｏ）−Ｏ−からなる群より選択されるかまたは存在しない、請求項１または２に記載の活性薬物複合体。
【請求項４】
式Ｉａの構造が式Ｉａａ
【化４】
2015518832.tif 000004
で示される構造を有する、請求項１に記載の活性薬物複合体またはその薬学的に許容される塩。
【請求項５】
式Ｉａの構造が、式Ｉａｂ
【化５】
2015518832.tif 000005
で示される構造を有する請求項１に記載の活性薬物複合体またはその薬学的に許容される塩。
【請求項６】
Ｌ１Ａが−（ＣＨ２）ｎ−、−（ＣＨ２ＣＨ２Ｏ）ｎ−、Ｖａｌ−Ｃｉｔ−ＰＡＢ、Ｖａｌ−Ａｌａ−ＰＡＢ、Ｖａｌ−Ｌｙｓ（Ａｃ）−ＰＡＢ、Ｐｈｅ−Ｌｙｓ−ＰＡＢ、Ｐｈｅ−Ｌｙｓ（Ａｃ）−ＰＡＢ、Ｄ−Ｖａｌ−Ｌｅｕ−Ｌｙｓ、Ｇｌｙ−Ｇｌｙ−Ａｒｇ、Ａｌａ−Ａｌａ−Ａｓｎ−ＰＡＢ、Ａｌａ−ＰＡＢ、ＰＡＢ、ペプチド、オリゴ糖またはそれらの組み合わせからなる群より選択される、請求項４または５に記載の活性薬物複合体。
【請求項７】
構成要素Ａがモノクローナル抗体（ｍＡＢ）、抗体フラグメント、サロゲートもしくは変異体、タンパク質リガンド、タンパク質骨格、ペプチド、小分子リガンド、少なくとも１個の修飾されたｎ−ブチルＬ−α−アミノ酸残基、Ｌ１Aの少なくとも１個の窒素に結合する少なくとも１個の修飾されたｎ−ブチルＬ−α−アミノ酸残基、Ｌ１Aの少なくとも１個の窒素が複合体形成前の構成要素ＡのＬ−リシン残基由来であるものおよびＬ１Aの少なくとも１個のＮ（窒素）原子を提供するＬ−リシン残基の側鎖の−（ＣＨ２）４−からなる群より選択される、請求項１ないし６のいずれかに記載の活性薬物複合体。
【請求項８】
構成要素ＡとＬ１Ａが一体となって、少なくとも１個の修飾されたＬ−リシン残基を含む、請求項１に記載の活性薬物複合体。
【請求項９】
Ｌ２がペプチド、オリゴ糖、−（ＣＨ２）−、Ｏ（酸素）、Ｓ（硫黄）、−ＮＨ−、−（ＣＨ２ＣＨ２Ｏ）−、Ｖａｌ、Ｃｉｔ、ＰＡＢ、Ｐｈｅ、Ｌｙｓ、Ｄ−Ｖａｌ、Ｌｅｕ、Ｌｙｓ、Ｇｌｙ、Ａｌａ、Ａｓｎ、−（ＣＨ２）ｎ、−（ＣＨ２ＣＨ２Ｏ）ｎ、Ｖａｌ−Ｃｉｔ−ＰＡＢ、Ｖａｌ−Ａｌａ−ＰＡＢ、Ｖａｌ−Ｌｙｓ（Ａｃ）−ＰＡＢ、Ｐｈｅ−Ｌｙｓ−ＰＡＢ、Ｐｈｅ−Ｌｙｓ（Ａｃ）−ＰＡＢ、Ｄ−Ｖａｌ−Ｌｅｕ−Ｌｙｓ、Ｇｌｙ−Ｇｌｙ−Ａｒｇ、Ａｌａ−Ａｌａ−Ａｓｎ−ＰＡＢ、Ａｌａ−ＰＡＢ、ペプチド、オリゴ糖およびそれらの組み合わせからなる群より選択される少なくとも１個の要素を含む、請求項１ないし８のいずれか一項に記載の活性薬物複合体。
【請求項１０】
構成要素Ａがモノクローナル抗体（ｍＡＢ）、抗体フラグメント、サロゲートまたは変異体、タンパク質リガンド、タンパク質骨格、ペプチド、小分子リガンドおよび少なくとも１個の修飾されたＬ−アラニン残基からなる群より選択される、請求項９に記載の活性薬物複合体。
【請求項１１】
少なくとも１個のＬ２が、−（ＣＨ２）ｎ−、−（ＣＨ２ＣＨ２Ｏ）ｎ−、Ｖａｌ−Ｃｉｔ−ＰＡＢ、Ｖａｌ−Ａｌａ−ＰＡＢ、Ｖａｌ−Ｌｙｓ（Ａｃ）−ＰＡＢ、Ｐｈｅ−Ｌｙｓ−ＰＡＢ、Ｐｈｅ−Ｌｙｓ（Ａｃ）−ＰＡＢ、Ｄ−Ｖａｌ−Ｌｅｕ−Ｌｙｓ、Ｇｌｙ−Ｇｌｙ−Ａｒｇ、Ａｌａ−Ａｌａ−Ａｓｎ−ＰＡＢ、Ａｌａ−ＰＡＢ、ＰＡＢ、ペプチド、オリゴ糖およびそれらの組み合わせからなる群より選択される、請求項１ないし１０のいずれか一項に記載の活性薬物複合体。
【請求項１２】
Ｌが、−Ｃ（＝Ｏ）−、−ＮＨ−Ｃ（＝Ｏ）−、−Ｃ（＝Ｏ）−Ｏ−、−ＮＨ−Ｃ（＝Ｏ）−ＮＨ−または−ＮＨ−Ｃ（＝Ｏ）−Ｏ−を含む、請求項１ないし１１のいずれか一項に記載の活性薬物複合体。
【請求項１３】
式Ｉ−Ａのアミンを式Ｉ−Ｂのジアルデヒドと反応させて、
【化６】
2015518832.tif 000006
活性薬物複合体を得る、化学的合成法。
【請求項１４】
式ＩＩ−Ａの化合物を式ＩＩ−Ｂの化合物と反応させて、
【化７】
2015518832.tif 000007
［式中、Ｇは、−Ｆ、−Ｃｌ、−Ｂｒ、−Ｉ、−Ｎ３、−ＯＲ、ＳＲ、−ＯＮＲＲ、ＲＣ（＝Ｏ）Ｏ−、およびＲＳＯ２−Ｏ−からなる群より選択され、そして
Ｒは、所望により置換されていてよいアルキル、所望により置換されていてよいアリール、または置換ヘテロ環である。］
活性薬物複合体を得る、化学的合成法。
【手続補正書】
【提出日】平成28年5月13日(2016.5.13)
【手続補正１】
【補正対象書類名】特許請求の範囲
【補正対象項目名】全文
【補正方法】変更
【補正の内容】
【特許請求の範囲】
【請求項１】
それを必要とするヒト対象の癌を治療、予防、又は管理するための医薬組成物であって、IL-13Rα2ペプチド、EphA2ペプチド、配列番号9を含むスルビビン・ペプチド、及び破傷風トキソイドペプチドを含み、乳化物として製剤化されている、前記医薬組成物。
【請求項２】
前記癌が脳腫瘍である、請求項1の医薬組成物。
【請求項３】
前記医薬組成物が前記対象に対して皮下に投与されるように用いられることを特徴とする、請求項1の医薬組成物。
【請求項４】
それを必要とする対象の癌を治療、予防、又は管理するための医薬組成物であって、IL-13Rα2ペプチド、EphA2ペプチド、配列番号9を含むスルビビン・ペプチド、及び破傷風トキソイドペプチドを含み、乳化物として製剤化されており、かつ、1以上の免疫調節薬と共投与されるように用いられることを特徴とする、前記医薬組成物。
【請求項５】
前記IL-13Rα2ペプチドが、配列番号1〜4のいずれか1つを含み；前記EphA2ペプチドが配列番号5を含み；前記破傷風トキソイドペプチドが配列番号10を含み；かつ前記組成物がモンタニドISA-51によって乳化されており；かつ前記1以上の免疫調節薬がGM-CSF又はイミキモドである、請求項4の医薬組成物。
【請求項６】
前記癌が脳腫瘍である、請求項4の医薬組成物。
【請求項７】
GM-CSF及びイミキモドと共投与されるように用いられることを特徴とする、請求項5の医薬組成物。
【請求項８】
それを必要とする対象の癌を治療、予防、又は管理するための医薬組成物であって、IL-13Rα2ペプチド、EphA2ペプチド、配列番号9を含むスルビビン・ペプチド、及び破傷風トキソイドペプチドを含み、乳化物として製剤化されており、かつ、GM-CSFを含む第二の医薬組成物、及び、イミキモドを含む第三の医薬組成物と共投与されるように用いられることを特徴とする、前記医薬組成物。
【請求項９】
前記IL-13Rα2ペプチドが配列番号1〜4のいずれか1つを含み；前記EphA2ペプチドが配列番号5を含み；かつ前記破傷風トキソイドペプチドが配列番号10を含み；かつ、前記組成物がモンタニドISA-51によって乳化されている、請求項4の医薬組成物。
【請求項１０】
前記医薬組成物が皮下に投与され、かつ前記1以上の免疫調節薬が局所又は皮下に投与されるように用いられることを特徴とする、請求項4の医薬組成物。
【請求項１１】
前記医薬組成物が皮下に投与され、前記第二の医薬組成物が皮下に投与され、かつ、前記第三の医薬組成物が局所に投与されるように用いられることを特徴とする、請求項8の医薬組成物。
【請求項１２】
前記癌が脳腫瘍である、請求項8の医薬組成物。
【請求項１３】
前記対象が、寛解期にあるか、再発を経験しているか、かつ／又は、失敗に終わった少なくとも一つの従前の治療を経験している、請求項4の医薬組成物。
【請求項１４】
前記対象が、寛解期にあるか、再発を経験しているか、かつ／又は、失敗に終わった少なくとも一つの従前の治療を経験している、請求項8の医薬組成物。
【請求項１５】
少なくとも一つの追加の癌治療と組み合わせて使用される、請求項4の医薬組成物。
【請求項１６】
前記医薬組成物中のペプチドの一種以上が、樹枝状細胞上に担持させられている、請求項1の医薬組成物。
【請求項１７】
前記医薬組成物中のペプチドの一種以上が、樹枝状細胞上に担持させられている、請求項4の医薬組成物。
【請求項１８】
前記医薬組成物中のペプチドの一種以上が、樹枝状細胞上に担持させられている、請求項5の医薬組成物。
【請求項１９】
前記医薬組成物中のペプチドの一種以上が、樹枝状細胞上に担持させられている、請求項8の医薬組成物。
【手続補正書】
【提出日】平成28年5月11日(2016.5.11)
【手続補正１】
【補正対象書類名】特許請求の範囲
【補正対象項目名】全文
【補正方法】変更
【補正の内容】
【特許請求の範囲】
【請求項１】
式Ia:
【化１】
2015518831.tif 000001
[式中、
構成要素Ａはターゲティング部分であり；
構成要素Ｅは所望により置換されたヘテロアリールまたは所望により置換されたヘテロシクリルであり；
Ｌ３は所望により置換されたＣ１−Ｃ６アルキルであるか、またはＬ３は存在せず、Ｌ３が存在しないとき、硫黄は、構成要素Ｅに直接結合しており；
Ｌ４は所望により置換されたＣ１−Ｃ６アルキルであるか、または、Ｌ４は存在せず、Ｌ４が存在しないとき、硫黄は、構成要素Ｅに直接結合しており；
Ｄはそれぞれ独立して選択され、ここで、Ｄはそれぞれ活性薬剤を含み；
Ｌ２はそれぞれ独立してリンカーであり、ここで、少なくとも１個のＬ２はＬ１に結合しており；
ｎは１、２、３、４、５、６、７、８、９または１０である。]
を含む活性薬剤コンジュゲートまたはその薬学的に許容される塩。
【請求項２】
構成要素Ｅが
【化２】
2015518831.tif 000002
からなる群から選択されるフラグメントを含む、請求項１に記載の活性薬剤コンジュゲート。
【請求項３】
Ｌ３が−(ＣＨ２)−であり、Ｌ４が、−(ＣＨ２)−である、請求項１に記載の活性薬剤コンジュゲート。
【請求項４】
Ｌ３が存在せず、Ｌ４が存在しない、請求項１に記載の活性薬剤コンジュゲート。
【請求項５】
【化３】
2015518831.tif 000003
が
【化４】
2015518831.tif 000004
である、請求項１〜４のいずれか１項に記載の活性薬剤コンジュゲート。
【請求項６】
当該活性薬剤がチューブリン結合剤、ＤＮＡアルキル化剤、ＤＮＡ挿入剤、酵素阻害剤、免疫モジュレーター、ペプチドおよびヌクレオチドからなる群から独立して選択される、請求項１〜５のいずれか１項に記載の活性薬剤コンジュゲート。
【請求項７】
式Ｉａの構造が
【化５】
2015518831.tif 000005
【化６】
2015518831.tif 000006
【化７】
2015518831.tif 000007
からなる群から選択される構造を有する、請求項１に記載の活性薬剤コンジュゲート。
【請求項８】
Ｌ２が−(ＣＨ２)ｎ−、−(ＣＨ２ＣＨ２Ｏ)ｎ−、Val-Cit-PAB、Val-Ala-PAB、Val-Lys(Ac)-PAB、Phe-Lys-PAB、Phe-Lys(Ac)-PAB、D-Val-Leu-Lys、Gly-Gly-Arg、Ala-Ala-Asn-PAB、Ala-PAB、PAB、ペプチド、オリゴ糖またはこれらの組み合わせからなる群から選択される、請求項１〜６の何れか１項に記載の活性薬剤コンジュゲート。
【請求項９】
Ｌ１が４個の炭素架橋および少なくとも２個の硫黄原子を含む、請求項１に記載の活性薬剤コンジュゲート。
【請求項１０】
構成要素Ａが抗体フラグメント、サロゲートもしくは変異体、タンパク質リガンド、タンパク質骨格、ペプチドおよび小分子リガンドからなる群から選択される、請求項１〜９のいずれか１項に記載の活性薬剤コンジュゲート。
【請求項１１】
構成要素Ａが少なくとも１個の修飾Ｌ−アラニン残基を含む、請求項１〜１０の何れか１項に記載の活性薬剤コンジュゲート。
【請求項１２】
少なくとも１個のＬ２が−(ＣＨ２)ｎ−、−(ＣＨ２ＣＨ２Ｏ)ｎ−、Val-Cit-PAB、Val-Ala-PAB、Val-Lys(Ac)-PAB、Phe-Lys-PAB、Phe-Lys(Ac)-PAB、D-Val-Leu-Lys、Gly-Gly-Arg、Ala-Ala-Asn-PAB、Ala-PAB、PAB、ペプチド、オリゴ糖またはこれらの組み合わせからなる群から選択される、請求項１〜１１の何れか１項に記載の活性薬剤コンジュゲート。
【手続補正書】
【提出日】平成28年5月16日(2016.5.16)
【手続補正１】
【補正対象書類名】特許請求の範囲
【補正対象項目名】全文
【補正方法】変更
【補正の内容】
【特許請求の範囲】
【請求項１】
式ＩＶの化合物であって、
【化４４】
2015518837.tif 000001
式中、
Ｒ１が、水素またはアミノ保護基であり、
Ｒ２が、水素、または任意に置換されたＣ１−Ｃ１２アルキルであり、
Ｒ３がハロゲンである、化合物、またはその塩を、
一酸化炭素、カルボニル化触媒、および式Ｒ４ＯＨのアルコールと接触させて、式ＩＩＩの化合物であって、
【化４５】
2015518837.tif 000002
式中、
Ｒ４がＣ１−Ｃ６アルキルである、化合物、またはその塩を形成することを含む、プロセス。
【請求項２】
前記カルボニル化触媒がＰｄ（ＯＡｃ）２を含む、請求項１に記載のプロセス。
【請求項３】
Ｒ１がＢｏｃ基である、請求項１〜２のいずれか一項に記載のプロセス。
【請求項４】
Ｒ２がメチルまたはベンジルである、請求項１〜３のいずれか一項に記載のプロセス。
【請求項５】
Ｒ３がＣｌである、請求項１〜４のいずれか一項に記載のプロセス。
【請求項６】
Ｒ４がイソプロピルである、請求項１〜５のいずれか一項に記載のプロセス。
【請求項７】
（ｉ）前記式ＩＩＩの化合物、または前記その塩を塩基と反応させて、中間体を形成することと、（ｉｉ）前記中間体を脱炭酸して、式ＩＩの化合物、またはその塩を生成することと、をさらに含む、請求項１〜６のいずれか一項に記載のプロセス
【化４６】
2015518837.tif 000003
。
【請求項８】
前記塩基がカリウムｔ−ブトキシドを含む、請求項７に記載のプロセス。
【請求項９】
前記脱炭酸が、Ｐｄを含む触媒および水素ガスをさらに含む、請求項７または８に記載のプロセス。
【請求項１０】
前記式ＩＩの化合物、または前記その塩を還元させて、式Ｉの化合物、またはその塩を形成することをさらに含む、請求項７〜９のいずれか一項に記載のプロセス
【化４７】
2015518837.tif 000004
。
【請求項１１】
前記還元が、ルテニウムを含む触媒および水素ガスを含む、請求項１０に記載のプロセス。
【請求項１２】
式ＸＩＩＩの化合物、またはその塩
【化５１】
2015518837.tif 000005
を化合物
【化５１−２】
2015518837.tif 000006
と接触させて、式ＩＶａの化合物、またはその塩を形成することをさらに含む、請求項１〜１１に記載のプロセス
【化５２】
2015518837.tif 000007
。
【請求項１３】
式ＸＩＩの化合物、またはその塩
【化７】
2015518837.tif 000008
を塩素化し、前記式ＸＩＩＩの化合物、または前記その塩を形成することをさらに含む、請求項１２に記載のプロセス。
【請求項１４】
式Ｘの化合物であって、
【化２０】
2015518837.tif 000009
式中、ＲａおよびＲｂが独立して、Ｃ１−１２アルキルである、化合物、またはその塩を、ホルムアミジンと反応させて、前記式ＸＩＩの化合物、または前記その塩を形成するプロセスをさらに含む、請求項１３に記載のプロセス。
【請求項１５】
式ＸＩの化合物、またはその塩
【化２１】
2015518837.tif 000010
をリパーゼと接触させて、前記式Ｘの化合物、または前記その塩を形成することをさらに含む、請求項１４に記載のプロセス。
【手続補正２】
【補正対象書類名】明細書
【補正対象項目名】００１１
【補正方法】変更
【補正の内容】
【００１１】
別の態様は、式ＸＩＩＩの化合物、またはその塩を化合物
【化８−２】
2015518837.tif 000011
と接触させ、式ＩＶａの化合物、またはその塩を形成することを含むプロセスを含む。
一実施形態において、例えば、以下の項目が提供される。
（項目１）
式ＩＶの化合物であって、
【化４４】
2015518837.tif 000012
式中、
Ｒ１が、水素またはアミノ保護基であり、
Ｒ２が、水素、または任意に置換されたＣ１−Ｃ１２アルキルであり、
Ｒ３がハロゲンである、化合物、またはその塩を、
一酸化炭素、カルボニル化触媒、および式Ｒ４ＯＨのアルコールと接触させて、式ＩＩＩの化合物であって、
【化４５】
2015518837.tif 000013
式中、
Ｒ４がＣ１−Ｃ６アルキルである、化合物、またはその塩を形成することを含む、プロセス。
（項目２）
前記カルボニル化触媒がＰｄ（ＯＡｃ）２を含む、項目１に記載のプロセス。
（項目３）
Ｒ１がＢｏｃ基である、項目１〜２に記載のプロセス。
（項目４）
Ｒ２がメチルまたはベンジルである、項目１〜３に記載のプロセス。
（項目５）
Ｒ３がＣｌである、項目１〜４に記載のプロセス。
（項目６）
Ｒ４がイソプロピルである、項目１〜５に記載のプロセス。
（項目７）
（ｉ）式ＩＩＩの化合物、またはその塩を塩基と反応させて、中間体を形成することと、（ｉｉ）前記中間体を脱炭酸して、式ＩＩの化合物、またはその塩を生成することと、をさらに含む、項目１〜６に記載のプロセス
【化４６】
2015518837.tif 000014
。
（項目８）
前記塩基がカリウムｔ−ブトキシドを含む、項目１〜７に記載のプロセス。
（項目９）
前記脱炭酸が、Ｐｄを含む触媒および水素ガスをさらに含む、項目１〜８に記載のプロセス。
（項目１０）
式ＩＩの化合物、またはその塩を還元させて、式Ｉの化合物、またはその塩を形成することを含む、項目１〜９に記載のプロセス
【化４７】
2015518837.tif 000015
。
（項目１１）
前記還元が、ルテニウムを含む触媒および水素ガスを含む、項目１〜１０に記載のプロセス。
（項目１２）
式Ｘの化合物、またはその塩を調製するプロセスをさらに含み、
【化４８】
2015518837.tif 000016
、
式中、ＲａおよびＲｂが独立して、Ｃ１−１２アルキルであり、前記プロセスが、式ＸＩの化合物をリパーゼと接触させて、前記式Ｘの化合物を形成することを含む、項目１〜１１に記載のプロセス
【化４９】
2015518837.tif 000017
。
（項目１３）
式Ｘの化合物、またはその塩をホルムアミジンと反応させて、式ＸＩＩの化合物、またはその塩を形成することをさらに含む、項目１〜１２に記載のプロセス
【化５０】
2015518837.tif 000018
。
（項目１４）
式ＸＩＩの化合物、またはその塩を塩素化して、式ＸＩＩＩの化合物、またはその塩を形成することをさらに含む、項目１〜１３に記載のプロセス
【化５１】
2015518837.tif 000019
。
（項目１５）
式ＸＩＩＩの化合物、またはその塩を化合物
【化５１−２】
2015518837.tif 000020
と接触させて、式ＩＶａの化合物、またはその塩を形成することをさらに含む、項目１〜１４に記載のプロセス
【化５２】
2015518837.tif 000021
。
【手続補正書】
【提出日】平成28年5月9日(2016.5.9)
【手続補正１】
【補正対象書類名】特許請求の範囲
【補正対象項目名】全文
【補正方法】変更
【補正の内容】
【特許請求の範囲】
【請求項１】
患者の肺における粘液過分泌、気道柔組織の破壊、線維症、組織損傷及び炎症のうちの１つ又は２つ以上に係る１つ又は２つ以上の炎症促進性メディエータの産生を低減するために臍帯組織由来細胞を含む組成物であって、前記細胞は、実質的に血液を含まないヒト臍帯組織から単離されており、培養液中で自己再生及び増殖が可能であり、ＣＤ１１７又はＣＤ４５の産生がなく、ｈＴＥＲＴ又はテロメラーゼを発現しない、組成物。
【請求項２】
前記患者が、肺疾患、肺障害、又は肺損傷を有する、請求項１に記載の組成物。
【請求項３】
前記１つ又は２つ以上の炎症促進性メディエータが、前記肺疾患、肺障害、及び／又は肺損傷の進行に係る、請求項１に記載の組成物。
【請求項４】
前記肺疾患、肺障害、及び／又は肺損傷が、慢性閉塞性肺疾患（ＣＯＰＤ）、肺線維症、急性肺損傷（ＡＬＩ）、急性呼吸窮迫症候群（ＡＲＤＳ）からなる群から選択される、請求項２又は３に記載の組成物。
【請求項５】
前記肺疾患、肺障害、及び／又は肺損傷が、慢性閉塞性肺疾患である、請求項４に記載の組成物。
【請求項６】
前記慢性閉塞性肺疾患が、慢性気管支炎又は気腫である、請求項５に記載の組成物。
【請求項７】
前記低減することが、前記慢性閉塞性肺疾患の部位に前記臍帯組織由来細胞を投与することを含む、請求項５又は６に記載の組成物。
【請求項８】
前記１つ又は２つ以上の炎症促進性メディエータが、ＴＮＦ−α、ＲＡＮＴＥＳ、ＭＣＰ−１、ＩＬ−１β、及びこれらの組み合わせからなる群から選択される、請求項１〜６のいずれか１項に記載の組成物。
【請求項９】
前記臍帯組織由来細胞が、前記１つ又は２つ以上の炎症促進性メディエータの前記産生を抑制する、請求項１〜８のいずれか１項に記載の組成物。
【請求項１０】
前記細胞が、前記患者の前記肺組織、血管平滑筋、又は血管内皮に栄養作用を及ぼす、請求項１〜８のいずれか１項に記載の組成物。
【請求項１１】
ＴＮＦ−α、ＲＡＮＴＥＳ、ＭＣＰ−１、ＩＬ−１β、及びこれらの組み合わせのうちの１つ又は２つ以上の産生を低減するために臍帯組織由来細胞を含む組成物であって、前記細胞は、実質的に血液を含まないヒト臍帯組織から単離されており、培養液中で自己再生及び増殖が可能であり、ＣＤ１１７又はＣＤ４５の産生がなく、ｈＴＥＲＴ又はテロメラーゼを発現しない、組成物。
【請求項１２】
前記臍帯組織由来細胞が、ＴＮＦ−α、ＲＡＮＴＥＳ、ＭＣＰ−１、ＩＬ−１β、及びこれらの組み合わせのうちの１つ又は２つ以上の前記産生を抑制する、請求項１１に記載の組成物。
【請求項１３】
前記臍帯組織由来細胞に、ＣＤ１１７及びＣＤ４５の産生がない、請求項１〜８、１１又は１２のいずれか１項に記載の組成物。
【請求項１４】
前記臍帯組織由来細胞が、更に、
（ａ）ＣＤ１０、ＣＤ１３、ＣＤ４４、ＣＤ７３、及びＣＤ９０を発現する、
（ｂ）ＣＤ３１又はＣＤ３４を発現しない、
（ｃ）ヒト線維芽細胞、間葉系幹細胞、又は腸骨稜骨髄細胞と比較して、インターロイキン８又はレチクロン１の発現レベルが増加する、並びに
（ｄ）少なくとも肺組織の細胞に分化する可能性を有する、という特性のうちの１つ又は２つ以上を含む、請求項１、１１又は１３に記載の組成物。
【請求項１５】
前記低減することが、少なくとも１つの他の細胞型及び／又は少なくとも１つの他の剤と共に前記臍帯組織由来細胞を投与することを含む、請求項１〜８又は１１〜１４のいずれか１項に記載の組成物。
【請求項１６】
前記他の細胞型が、肺前駆細胞、血管平滑筋細胞、血管平滑筋前駆細胞、周細胞、血管内皮細胞、血管内皮前駆細胞、又は他の多分化能幹細胞から選択される肺組織細胞である、請求項１５に記載の組成物。
【請求項１７】
前記剤が、抗血栓性薬剤、抗炎症剤、免疫抑制剤、免疫調節薬、血管新生促進剤、又は抗アポトーシス剤である、請求項１５に記載の組成物。
【請求項１８】
患者の肺における粘液過分泌、気道柔組織の破壊、線維症、組織損傷及び炎症のうちの１つ又は２つ以上に係る１つ又は２つ以上の炎症促進性メディエータの産生を低減するために使用されるキットであって、前記キットが、臍帯由来細胞と、薬学的に許容されるキャリア及び／又は希釈剤とを含み、前記細胞が、実質的に血液を含まないヒト臍帯組織から単離されており、培養液中で自己再生及び増殖が可能であり、ＣＤ１１７又はＣＤ４５の産生がなく、ｈＴＥＲＴ又はテロメラーゼを発現しない、キット。
【請求項１９】
ＴＮＦ−α、ＲＡＮＴＥＳ、ＭＣＰ−１、ＩＬ−１β、及びこれらの組み合わせのうちの１つまたは２つ以上の産生を低減するために使用されるキットであって、前記細胞が、実質的に血液を含まないヒト臍帯組織から単離されており、培養液中で自己再生及び増殖が可能であり、ＣＤ１１７又はＣＤ４５の産生がなく、ｈＴＥＲＴ又はテロメラーゼを発現しない、キット。
【手続補正２】
【補正対象書類名】明細書
【補正対象項目名】００６５
【補正方法】変更
【補正の内容】
【００６５】
本明細書に記載の様々な実施形態において、本発明は、分娩後組織、特に、臍組織に由来する始原細胞及び細胞集団を利用する、肺疾患、肺障害、及び／又は肺損傷の病状に係る炎症促進性メディエータの産生を調節（例えば、低減又は抑制）するための方法及び医薬組成物を特徴とする。これらの方法及び医薬組成物は、このような炎症促進性メディエータの産生を調節（低減及び／又は抑制）することを意図している。更に、これらの方法及び医薬組成物は、所望により、脈管形成を刺激及び支持し、血流を改善し、肺組織を肺疾患、肺障害、及び／又は肺損傷から保護するために、このような疾患、障害、及び／又は損傷により損傷した肺組織を再生、修復、及び改善することを意図し得る。
【手続補正書】
【提出日】平成28年3月8日(2016.3.8)
【手続補正１】
【補正対象書類名】特許請求の範囲
【補正対象項目名】全文
【補正方法】変更
【補正の内容】
【特許請求の範囲】
【請求項１】
葉酸受容体α発現胃癌を治療するための、葉酸受容体α又はその抗原結合フラグメントに特異的に結合する抗体。
【請求項２】
前記抗体が、配列番号１のアミノ酸配列を含む重鎖ＣＤＲ１（ＣＤＲＨ１）、配列番号２のアミノ酸配列を含むＣＤＲ２（ＣＤＲＨ２）、及び配列番号３のアミノ酸配列を含むＣＤＲ３（ＣＤＲＨ３）と、配列番号４のアミノ酸配列を含む軽鎖ＣＤＲ１（ＣＤＲＬ１）、配列番号５のアミノ酸配列を含む軽鎖ＣＤＲ２（ＣＤＲＬ２）、及び配列番号６のアミノ酸配列を含むＣＤＲ３（ＣＤＲＬ３）とを含む、請求項１に記載の抗体。
【請求項３】
前記抗体が、静脈内投与される、請求項１に記載の抗体。
【請求項４】
前記抗体が、前記対象へ週１回投与される、請求項１に記載の抗体。
【請求項５】
前記抗体又は抗原結合フラグメントが、約５０ｍｇ／ｍ２〜約４００ｍｇ／ｍ２の投与量で投与される、請求項１に記載の抗体。
【請求項６】
前記抗体又は抗原結合フラグメントが、約４００ｍｇ／ｍ２の投与量で投与される、請求項１に記載の抗体。
【請求項７】
前記抗体が、ファルレツズマブ（farletuzumab）である、請求項１に記載の抗体。